(57)【要約】【課題】  投資についての学習の手間を低減する。【解決手段】  コンピュータ１の投資学習情報記憶手段１ａは、更新される投資学習情報を記憶する。学習履歴記憶手段１ｂは、受講者が学習した投資学習情報の学習履歴を記憶する。検出手段１ｃは、学習履歴記憶手段１ｂの学習履歴を参照し、受講者の未学習の投資学習情報を投資学習情報記憶手段１ａから検出する。表示手段１ｄは、検出手段１ｃによって検出された投資学習情報を、受講者の使用する端末２に表示する。これによって、受講者の未学習の投資学習情報は、受講者の使用する端末２に表示されるので、受講者は、新規の投資学習情報のみを受講することが可能となり、投資についての学習の手間を低減する。【選択図】  図１
2005321446.tif 000002
【特許請求の範囲】
【請求項１】
投資について学習させる投資学習プログラムにおいて、
コンピュータを、
更新される投資学習情報を記憶する投資学習情報記憶手段、
受講者が学習した前記投資学習情報の学習履歴を記憶する学習履歴記憶手段、
前記学習履歴を参照し、前記受講者の未学習の前記投資学習情報を前記投資学習情報記憶手段から検出する検出手段、
検出された前記投資学習情報を前記受講者の使用する端末に表示する表示手段、
として機能させることを特徴とする投資学習プログラム。
【請求項２】
前記受講者の前記投資学習情報の習得度を確認するための確認試験を行う試験手段を有することを特徴とする請求項１記載の投資学習プログラム。
【請求項３】
前記試験手段は、前記受講者が学習した前記投資学習情報ごとに前記確認試験を行うことを特徴とする請求項２記載の投資学習プログラム。
【請求項４】
前記検出手段は、前記受講者が前記確認試験に合格した場合に、次の前記投資学習情報の検出を行うことを特徴とする請求項２記載の投資学習プログラム。
【請求項５】
前記投資学習情報は、株の基礎に関する基礎情報、業種に関する業種情報、および銘柄に関する銘柄情報を有することを特徴とする請求項１記載の投資学習プログラム。
【発明の詳細な説明】
【技術分野】
【０００１】
本発明は投資学習プログラムに関し、特に個人投資家に対して、学習履歴に応じた投資学習を提供する投資学習プログラムに関する。
【背景技術】
【０００２】
現在、株式投資において、個人投資家が増えてきている。個人投資家の株式投資への参入を容易にするために、インターネット上で株式の売買が行える仕組みが提供されている。また、証券会社は、株式投資の初心者に対して、店舗にてセミナーを開催したり、自社のホームページ上で株式に関する情報を提供したりしている。また、日本証券業協会も株式投資入門講座を無料で開催している。
【０００３】
従来、株式に関する情報を提供する方法として、実際の株式売買において、専門家が適宜売買タイミングに関する助言を顧客に与えるようにした資産運用助言システムおよびそのプログラムを収録した記録媒体があった（例えば、特許文献１参照）。また、適宜専門家のアドバイスを受けながら、仮想の株式投資を通じて、株式投資のノウハウを学ぶ投資体験研修方法およびそのシステムがあった（例えば、特許文献２参照）。
【特許文献１】特許第３２４７３５６号公報（段落番号〔００１４〕〜〔００２１〕、図１）
【特許文献２】特開２００２−９２３４０号公報（段落番号〔００７２〕〜〔００８３〕、図３）
【発明の開示】
【発明が解決しようとする課題】
【０００４】
ところで、株などの投資は、業種、銘柄など条件によって変動する要因が異なり、初心者の個人投資家にとっては、投資判断は困難である。そこで、個人投資家は、投資についての学習を試みるが、すでに学習した投資についての投資学習情報もあれば、まだ学習していない投資学習情報もあり、収集に手間がかかる。
【０００５】
本発明はこのような点に鑑みてなされたものであり、未学習の新規の投資学習情報のみを受講できるようにし、情報収集の手間を低減した投資学習プログラムを提供することを目的とする。
【課題を解決するための手段】
【０００６】
本発明では上記問題を解決するために、図１に示すような投資について学習させる投資学習プログラムにおいて、コンピュータ１を、更新される投資学習情報を記憶する投資学習情報記憶手段１ａ、受講者が学習した投資学習情報の学習履歴を記憶する学習履歴記憶手段１ｂ、学習履歴を参照し、受講者の未学習の投資学習情報を投資学習情報記憶手段１ａから検出する検出手段１ｃ、検出された投資学習情報を受講者の使用する端末２に表示する表示手段１ｄ、として機能させることを特徴とする投資学習プログラムが提供される。
【０００７】
このような投資学習プログラムによれば、受講者の未学習の投資学習情報を検出し、受講者の使用する端末２に投資学習情報を表示する。よって、受講者は、新規の投資学習情報のみを受講することが可能となる。
【発明の効果】
【０００８】
本発明の投資学習プログラムでは、受講者の未学習の投資学習情報を検出し、受講者の使用する端末に検出した投資学習情報を表示するようにした。これによって、受講者は、未学習の新規の投資学習情報を受講することが可能となり、投資学習情報の学習の手間を低減することができる。
【発明を実施するための最良の形態】
【０００９】
以下、本発明の原理を図面を参照して詳細に説明する。
図１は、本発明の投資学習プログラムの原理図である。
コンピュータ１は、本発明の投資学習プログラムを実行することによって、投資学習情報記憶手段１ａ、学習履歴記憶手段１ｂ、検出手段１ｃ、および表示手段１ｄを有している。コンピュータ１には、投資について学習する受講者が使用する端末２が接続されている。
【００１０】
投資学習情報記憶手段１ａは、受講者が学習する投資学習情報を記憶する。投資学習情報は、受講者が投資について学習するための情報である。学習履歴記憶手段１ｂは、受講者が学習した投資学習情報の学習履歴を記憶する。
【００１１】
検出手段１ｃは、学習履歴記憶手段１ｂの学習履歴を参照し、受講者の未学習の投資学習情報を投資学習情報記憶手段１ａから検出する。具体的には、検出手段１ｃは、投資学習情報記憶手段１ａに記憶されているが、学習履歴記憶手段１ｂに記憶されていない投資学習情報を投資学習情報記憶手段１ａから検出する。
【００１２】
表示手段１ｄは、検出手段１ｃによって検出された投資学習情報を、受講者の使用する端末２に表示する。
このように、受講者の未学習の投資学習情報を検出し、受講者の使用する端末２に検出した投資学習情報を表示するようにした。これによって、受講者は、未学習の新規の投資学習情報を受講することが可能となり、投資学習情報の学習の手間を低減することができる。
【００１３】
次に、本発明の実施の形態を図面を参照して説明する。
図２は、本発明の実施の形態のシステム構成例を示す図である。
図に示すように投資学習サーバ１０は、ネットワーク５０を介して、学習情報提供サーバ４０と接続されている。ユーザ端末３０は、無線によってネットワーク５０に接続でき、投資学習サーバ１０と通信することができる。ネットワーク５０は、例えば、インターネットである。
【００１４】
投資学習サーバ１０は、個人投資家であるユーザに、投資に関する知識や情報を学習させるための学習情報を記憶している。学習情報は、具体的には、株や投資信託に関する知識や情報である。以下では、株を例に説明する。
【００１５】
学習情報は、学習情報提供サーバ４０によって提供される。学習情報提供サーバ４０には、例えば、複数の証券会社によって様々な学習情報が提供される。ユーザは、ユーザ端末３０を用いて、投資学習サーバ１０にアクセスし、学習情報を学習する。
【００１６】
投資学習サーバ１０は、アクセスしてきたユーザに対して、学習したことのない未学習の学習情報があれば、その学習情報をユーザに学習させる。投資学習サーバ１０は、ユーザが学習を終えると、ユーザに対し、確認テストを実施する。ユーザが、確認テストにおいて必要な点数を取得すると、合格した旨をユーザに示す。
【００１７】
このように、未受講の新規の学習情報をユーザに学習させるようにした。これによって、ユーザの学習の手間を低減することができる。また、学習による投資に関する知識や情報の習得度を、確認テストによってユーザに示すようにした。これによって、個々のユーザの投資経験、投資情報の習得度に合わせてカスタマイズされた学習内容を提供でき、さらに、個別の業種、銘柄に対する投資の可否を判断する知識を得たことを個人投資家に示すことができる。
【００１８】
なお、ユーザ端末３０は、無線によってネットワーク５０に接続するとしたが、有線で接続する端末であってもよい。ユーザ端末３０は、例えば、携帯電話、ＰＤＡ（Personal Digital Assistant）、パーソナルコンピュータである。
【００１９】
次に、このような投資学習を行わせることができる投資学習サーバ１０の機能について説明する。
図３は、投資学習サーバのハードウェア構成を示すブロック図である。
【００２０】
図に示す投資学習サーバ１０は、ＣＰＵ(Central Processing Unit)１０ａによって装置全体が制御されている。ＣＰＵ１０ａには、バス１０ｇを介してＲＡＭ(Random Access Memory)１０ｂ、ハードディスクドライブ(ＨＤＤ:Hard Disk Drive)１０ｃ、グラフィック処理装置１０ｄ、入力インターフェース１０ｅ、および通信インターフェース１０ｆが接続されている。
【００２１】
ＲＡＭ１０ｂには、ＣＰＵ１０ａに実行させるＯＳ(Operating System)のプログラムやアプリケーションプログラムの少なくとも一部が一時的に格納される。また、ＲＡＭ１０ｂには、ＣＰＵ１０ａによる処理に必要な各種データが保存される。ＨＤＤ１０ｃには、ＯＳやアプリケーションプログラムなどが格納される。
【００２２】
グラフィック処理装置１０ｄには、モニタ１０ｈが接続されている。グラフィック処理装置１０ｄは、ＣＰＵ１０ａからの命令に従って、画像をモニタ１０ｈの表示画面に表示させる。入力インターフェース１０ｅには、キーボード１０ｉと、マウス１０ｊとが接続されている。入力インターフェース１０ｅは、キーボード１０ｉやマウス１０ｊから送られてくる信号を、バス１０ｇを介してＣＰＵ１０ａに送信する。
【００２３】
通信インターフェース１０ｆは、ネットワーク５０に接続されている。通信インターフェース１０ｆは、ネットワーク５０を介して、学習情報提供サーバ４０と通信を行う。また、通信インターフェース１０ｆは、ネットワーク５０および無線通信を介して、ユーザ端末３０と通信を行う。
【００２４】
なお、学習情報提供サーバ４０も図３と同様のハードウェア構成を有する。また、ユーザ端末３０も図３と同様のハードウェア構成を有する。ただし、ユーザ端末３０は、無線通信するための無線機能を有している。
【００２５】
以上のようなハードウェア構成によって、本実施の形態の処理機能を実現することができる。
図４は、投資学習サーバの機能ブロック図である。
【００２６】
図に示すように投資学習サーバ１０は、制御部１１、通信制御ＩＦ（ＩＦ：InterFace）部２０、および記憶部２１を有している。
記憶部２１には、株に関する知識、情報をユーザに学習させるための各種学習情報が格納されている。制御部１１は、記憶部２１に格納されている各種学習情報にアクセスし、通信制御ＩＦ部２０を介して、ユーザの使用するユーザ端末３０と通信する。通信制御ＩＦ部２０は、制御部１１の指示に従って、ネットワーク５０との通信制御を行う。以下、記憶部２１と制御部１１について、順に詳細に説明する。
【００２７】
記憶部２１は、顧客ＤＢ（ＤＢ：DataBase）２２、学習履歴ＤＢ２３、学習コンテンツＤＢ２４、基礎講座ＤＢ２５、業種ＤＢ２６、および銘柄ＤＢ２７を有している。記憶部２１の各ＤＢは、例えば、図３に示したＲＡＭ１０ｂまたはＨＤＤ１０ｃの記憶装置に構築される。
【００２８】
図５は、顧客ＤＢのデータ構成例を示した図である。
顧客ＤＢ２２は、投資学習サーバ１０にアクセスすることができるユーザの情報が格納されるデータベースである。図に示すように顧客ＤＢ２２は、ＩＤ、パスワード、氏名、住所、電話、およびｅ−メールアドレスの欄を有している。ＩＤの欄には、投資学習サーバ１０にアクセスすることができるユーザに付与されている識別番号（ＩＤ）が格納される。パスワードの欄には、ユーザに付与されているパスワードが格納される。氏名の欄には、ユーザの氏名が格納される。住所の欄には、ユーザの住所が格納される。電話の欄には、ユーザの電話番号が格納される。ｅ−メールアドレスの欄には、ユーザのｅ−メールアドレスが格納される。
【００２９】
図５の例では、３１０１１０のＩＤ番号が付与されているユーザのパスワードは、ｐｓｗｄである。氏名は、ＸＸＸＸである。住所は、東京都大田区…である。電話番号は、０３−３７３０−ｎｎｎｎである。ｅ−メールアドレスは、ｘｘｘｘ＠ｙｙｙ．ｃｏｍである。
【００３０】
図６は、学習履歴ＤＢのデータ構成例を示した図である。
学習履歴ＤＢ２３は、ユーザが学習した、株の学習情報の学習履歴が格納されるデータベースである。図に示すように学習履歴ＤＢ２３は、ＩＤの欄を有している。ＩＤの欄の下位には、基礎講座、業種コード、および銘柄コードの欄が設けてある。業種コードの欄には、ユーザが学習した株の業種の業種コードが格納される。銘柄コードの欄には、ユーザが学習した株の銘柄の銘柄コードが格納される。
【００３１】
基礎講座の欄の下位には、さらに、コンテンツ数、コンテンツ番号、試験結果、および日付の欄が設けてある。コンテンツ数の欄には、ユーザが受講した基礎講座のコンテンツ数が格納される。コンテンツ番号の欄には、ユーザが受講した基礎講座のコンテンツに付与されているコンテンツ番号が格納される。試験結果の欄には、ユーザが受講した基礎講座における試験の結果が格納される。例えば、ユーザが基礎講座の試験に合格した場合、１が格納される。不合格であった場合、０が格納される。日付の欄には、ユーザが基礎講座を受講した日時が格納される。なお、基礎講座は、例えば、株式投資全般に関する規則、株の購入の仕方など、株の基礎知識について学習するコンテンツである。
【００３２】
業種コードの欄の下位には、さらに、コンテンツ数、コンテンツ番号、試験結果、および日付の欄が設けてある。コンテンツ数の欄には、ユーザが受講した業種コンテンツのコンテンツ数が格納される。コンテンツ番号の欄には、ユーザが受講した業種コンテンツに付与されているコンテンツ番号が格納される。試験結果の欄には、ユーザが受講した業種コンテンツにおける試験の結果が格納される。例えば、ユーザが試験に合格した場合、１が格納される。不合格であった場合、０が格納される。日付の欄には、ユーザが業種コンテンツを受講した日時が格納される。なお、業種コンテンツは、例えば、電気、鉄鋼などの業種における株の特徴や情報を学習するコンテンツである。
【００３３】
銘柄コードの欄の下位には、さらに、コンテンツ数、コンテンツ番号、試験結果、および日付の欄が設けてある。コンテンツ数の欄には、ユーザが受講した銘柄コンテンツのコンテンツ数が格納される。コンテンツ番号の欄には、ユーザが受講した銘柄コンテンツに付与されているコンテンツ番号が格納される。試験結果の欄には、ユーザが受講した銘柄コンテンツにおける試験の結果が格納される。例えば、ユーザが試験に合格した場合、１が格納される。不合格であった場合、０が格納される。日付の欄には、ユーザが銘柄コンテンツを受講した日時が格納される。なお、銘柄コンテンツは、企業ごとにおける株の特徴や情報を学習するコンテンツである。
【００３４】
図６の例では、３１０１１０のＩＤ番号が付与されているユーザは、基礎講座のコンテンツを２つ受講している。受講した２つのコンテンツのうち、１つのコンテンツのコンテンツ番号は、１００３である。また、ユーザは、コンテンツ番号１００３の基礎講座の試験に合格している。コンテンツ番号１００３の基礎講座の試験を受講した日付は、yy/mm/dd/xx:yy:zzである。
【００３５】
また、ユーザは、業種コード１１Ｘの業種コンテンツを２つ受講している。銘柄コード３４５Ｙの銘柄コンテンツを１つ受講している。また、業種コード２２Ｚの業種コンテンツを３つ受講している。
【００３６】
なお、ユーザが、新たな業種、銘柄について学習した場合、図の業種コードの欄，銘柄コードの欄が追加される。また、図では１人の学習履歴しか示してないが、ユーザごとに図に示すような学習履歴が学習履歴ＤＢ２３に格納される。
【００３７】
図７は、学習コンテンツＤＢのデータ構成例を示した図である。
学習コンテンツＤＢ２４は、基礎講座のコンテンツ、業種コンテンツ、および銘柄コンテンツの学習コンテンツの実体が格納されるデータベースである。図に示すように学習コンテンツＤＢ２４は、コンテンツ番号、コンテンツ本体、試験、および正解の欄を有している。コンテンツ番号には、学習コンテンツに付与されている識別番号が格納される。コンテンツ本体の欄には、学習コンテンツ本体（コンテンツのデータ）が格納される。試験の欄には、学習コンテンツの内容に対する試験のデータが格納される。正解の欄には、試験の解答のデータが格納される。
【００３８】
銘柄コンテンツは、場合によって関連する他の銘柄（企業）の特徴や情報も含む。例えば、ある企業の子会社の銘柄コンテンツは、親会社の特徴や情報を含む場合がある。子会社の株価は、親会社の株価の影響を受けることもあり、親会社の銘柄コンテンツもユーザに学習させた方がよいからである。
【００３９】
図８は、基礎講座ＤＢのデータ構成例を示した図である。
基礎講座ＤＢ２５は、基礎講座のコンテンツに付与されている識別番号が格納されるデータベースである。図に示すように基礎講座ＤＢ２５は、ユーザに提供される基礎講座のコンテンツ数およびコンテンツ番号の欄を有している。コンテンツ数の欄には、基礎講座のコンテンツ数が格納される。コンテンツ番号の欄には、基礎講座のコンテンツに付与されている識別番号が格納される。
【００４０】
図８の例では、基礎講座のコンテンツ数は、ｎ個である。基礎講座のコンテンツに付与されているコンテンツ番号の１つは、１００３である。
図９は、業種ＤＢのデータ構成例を示した図である。
【００４１】
業種ＤＢ２６は、業種コードおよび業種コンテンツに付与されている識別番号が格納されるデータベースである。図に示すように業種ＤＢ２６は、業種コード、業種名、コンテンツ数、およびコンテンツ番号の欄を有している。業種コードの欄には、株の業種コードが格納される。業種名の欄には、業種コードの示す業種名が格納される。コンテンツ数の欄には、業種ごとに提供されている業種コンテンツのコンテンツ数が格納される。コンテンツ番号の欄には、業種コンテンツに付与されている識別番号が格納される。
【００４２】
図９の例では、業種コード１１Ｘの業種名は、電気・通信である。業種コード１１Ｘで提供されている業種コンテンツのコンテンツ数は、３つである。業種コード１１Ｘで提供されている業種コンテンツのコンテンツ番号の１つは、１１００である。
【００４３】
図１０は、銘柄ＤＢのデータ構成例を示した図である。
銘柄ＤＢ２７は、銘柄コードおよび銘柄コンテンツに付与されている識別番号が格納されるデータベースである。図に示すように銘柄ＤＢ２７は、銘柄コード、銘柄名、業種コード、およびコンテンツ番号の欄を有している。銘柄コードの欄には、株の銘柄コードが格納される。銘柄名の欄には、銘柄コードの示す銘柄名が格納される。業種コードの欄には、銘柄コードが属する業種コードが格納される。コンテンツ番号の欄には、銘柄コンテンツに付与されている識別番号が格納される。
【００４４】
図１０の例では、銘柄コード３４５Ｙの銘柄名は、特許電気である。銘柄コード３４５Ｙの属する業種の業種コードは、１１Ｘである。銘柄コード３４５Ｙで提供されている銘柄コンテンツのコンテンツ番号は、１２００である。
【００４５】
制御部１１は、顧客管理部１２、学習履歴管理部１３、学習コンテンツ提供部１４、基礎講座制御部１５、業種制御部１６、および銘柄制御部１７を有している。
顧客管理部１２は、株について学習しようとするユーザからＩＤ、パスワードを受付ける。顧客管理部１２は、受付けたＩＤ、パスワードが、顧客ＤＢ２２に格納されているか否か判断する。受付けたＩＤ、パスワードが顧客ＤＢ２２に格納されている場合、顧客管理部１２は、ユーザの投資学習サーバ１０へのアクセスを許可する。受付けたＩＤ、パスワードが顧客ＤＢ２２に格納されていない場合、顧客管理部１２は、ユーザ端末３０の表示装置に、ユーザ登録を促す画面を表示する。
【００４６】
顧客管理部１２は、ユーザ登録をする場合、例えば、ユーザの氏名、住所、電話、ｅ−メールアドレスのユーザ情報を受付ける。そして、顧客管理部１２は、ユーザにＩＤとパスワードを付与し、受付けたユーザ情報と、付与したＩＤ、パスワードとを顧客ＤＢ２２に記憶する。
【００４７】
学習履歴管理部１３は、ユーザが受講した、基礎講座、業種コンテンツ、および銘柄コンテンツの学習履歴を学習コンテンツＤＢ２４に記録する。
学習コンテンツ提供部１４は、基礎講座制御部１５、業種制御部１６、および銘柄制御部１７からコンテンツ番号を受信する。学習コンテンツ提供部１４は、学習コンテンツＤＢ２４を参照して、受信したコンテンツ番号に対応するコンテンツ本体を実行する。学習コンテンツ提供部１４は、コンテンツ本体の実行によって、株についての学習内容をユーザ端末３０の表示装置に表示する。ユーザが学習を終えると、学習コンテンツ提供部１４は、学習コンテンツＤＢ２４を参照して、受信したコンテンツ番号に対応する試験データを実行する。学習コンテンツ提供部１４は、試験データの実行によって、ユーザの学習に対する確認テストをユーザ端末３０の表示装置に表示する。ユーザが確認テストを終えると、学習コンテンツ提供部１４は、学習コンテンツＤＢ２４を参照して、受信したコンテンツ番号に対応する正解データを実行する。学習コンテンツ提供部１４は、正解データの実行によって、確認テストの採点を行い、その結果をユーザ端末３０の表示装置に表示する。
【００４８】
基礎講座制御部１５は、学習履歴ＤＢ２３と基礎講座ＤＢ２５とを参照して、ユーザが受講していない新規の基礎講座があるか否かを判断する。具体的には、基礎講座制御部１５は、基礎講座ＤＢ２５のコンテンツ番号と、学習履歴ＤＢ２３の基礎講座におけるコンテンツ番号とを比較する。そして、学習履歴ＤＢ２３の基礎講座におけるコンテンツ番号に、基礎講座ＤＢ２５に新規登録されたコンテンツ番号がない場合、ユーザが受講していない新規の基礎講座があることを認識する。ユーザが受講していない新規の基礎講座がない場合、基礎講座制御部１５は、業種制御部１６を起動する。
【００４９】
基礎講座制御部１５は、ユーザが受講していない新規の基礎講座があった場合、新規の基礎講座のコンテンツ番号を基礎講座ＤＢ２５から取得する。基礎講座制御部１５は、取得したコンテンツ番号を学習コンテンツ提供部１４に送信する。なお、学習コンテンツ提供部１４は、基礎講座制御部１５からのコンテンツ番号の受信によって、上述したように、ユーザ端末３０に基礎講座の学習内容を表示させる。そして、確認テスト、採点結果を表示する。
【００５０】
業種制御部１６は、ユーザから学習したい銘柄を受付ける。業種制御部１６は、学習履歴ＤＢ２３と業種ＤＢ２６とを参照して、ユーザから受付けた銘柄において、ユーザが受講していない新規の業種コンテンツがあるか否かを判断する。具体的には、業種制御部１６は、ユーザから受付けた銘柄の属している、学習履歴ＤＢ２３の業種コードにおけるコンテンツ番号と、業種ＤＢ２６のコンテンツ番号とを比較する。そして、学習履歴ＤＢ２３の業種コードにおけるコンテンツ番号に、業種ＤＢ２６に新規登録されたコンテンツ番号がない場合、ユーザが受講していない新規の業種コンテンツがあることを認識する。ユーザが受講していない新規の業種コンテンツがない場合、業種制御部１６は、銘柄制御部１７を起動する。
【００５１】
業種制御部１６は、ユーザが受講していない新規の業種コンテンツがあった場合、新規の業種コンテンツのコンテンツ番号を業種ＤＢ２６から取得する。業種制御部１６は、取得したコンテンツ番号を学習コンテンツ提供部１４に送信する。なお、学習コンテンツ提供部１４は、業種制御部１６からのコンテンツ番号の受信によって、上述したように、ユーザ端末３０に株の業種に関する学習内容を表示させる。そして、確認テスト、採点結果を表示する。
【００５２】
銘柄制御部１７は、学習履歴ＤＢ２３と銘柄ＤＢ２７とを参照して、ユーザが受講していない新規の銘柄コンテンツがあるか否かを判断する。具体的には、銘柄制御部１７は、学習履歴ＤＢ２３の銘柄コードにおけるコンテンツ番号と、銘柄ＤＢ２７のコンテンツ番号とを比較する。そして、学習履歴ＤＢ２３の銘柄コードにおけるコンテンツ番号に、銘柄ＤＢ２７に新規登録されたコンテンツ番号がない場合、ユーザが受講していない新規の銘柄コンテンツがあることを認識する。
【００５３】
銘柄制御部１７は、ユーザが受講していない新規の銘柄コンテンツがあった場合、新規の銘柄コンテンツのコンテンツ番号を銘柄ＤＢ２７から取得する。銘柄制御部１７は、取得したコンテンツ番号を学習コンテンツ提供部１４に送信する。なお、学習コンテンツ提供部１４は、銘柄制御部１７からのコンテンツ番号の受信によって、上述したように、ユーザ端末３０に株の業種に関する学習内容を表示させる。そして、確認テスト、採点結果を表示する。
【００５４】
図４の投資学習サーバ１０の動作を、フローチャートを用いて説明する。
図１１，１２は、投資学習サーバの動作を示したフローチャートである。
ステップＳ１において、顧客管理部１２は、ユーザからＩＤ、パスワードを受付け、顧客ＤＢ２２を参照し、ＩＤ、パスワードチェックを行う。
【００５５】
ステップＳ２において、基礎講座制御部１５は、基礎講座ＤＢ２５、学習履歴ＤＢ２３を参照して、ユーザが受講していない新規の基礎講座があるか否かを判断する。ユーザの受講していない新規の基礎講座があれば、ステップＳ３へ進む。ユーザの受講していない新規の基礎講座がなければ、ステップＳ７へ進む。
【００５６】
ステップＳ３において、基礎講座制御部１５は、基礎講座ＤＢ２５を参照して、ユーザの受講していない新規の基礎講座に対応するコンテンツ番号を取得し、学習コンテンツ提供部１４へ送信する。学習コンテンツ提供部１４は、基礎講座制御部１５からコンテンツ番号を受信し、学習コンテンツＤＢ２４を参照して、受信したコンテンツ番号に対応するコンテンツ本体を実行する。すなわち、ユーザに新規の基礎講座を学習させる。
【００５７】
ステップＳ４において、学習コンテンツ提供部１４は、ユーザが学習を終えると、学習コンテンツＤＢ２４を参照し、基礎講座制御部１５から受信したコンテンツ番号に対応する試験データを実行する。すなわち、ユーザに基礎講座に対する確認テストを実施する。
【００５８】
ステップＳ５において、学習コンテンツ提供部１４は、ユーザが確認テストを終えると、学習コンテンツＤＢ２４を参照し、基礎講座制御部１５から受信したコンテンツ番号に対応する正解データを実行する。すなわち、確認テストの採点を行い、ユーザが確認テストに合格したか否かを判断する。確認テストに合格した場合は、ステップＳ６へ進む。確認テストに合格しなかった場合は、ステップＳ３へ進む。
【００５９】
ステップＳ６において、学習履歴管理部１３は、ユーザが受講した基礎講座に関する学習履歴を、学習履歴ＤＢ２３に格納する。
ステップＳ７において、業種制御部１６は、ユーザから銘柄を受付ける。
【００６０】
ステップＳ８において、業種制御部１６は、業種ＤＢ２６、学習履歴ＤＢ２３を参照して、ステップＳ７で受付けた銘柄の業種において、ユーザが受講していない新規の業種別講座（業種コンテンツ）があるか否かを判断する。ユーザの受講していない新規の業種別講座があれば、ステップＳ９へ進む。ユーザの受講していない新規の業種別講座がなければ、ステップＳ１３へ進む。
【００６１】
ステップＳ９において、業種制御部１６は、業種ＤＢ２６を参照して、ユーザが受講していない新規の業種別講座に対応するコンテンツ番号を取得し、学習コンテンツ提供部１４へ送信する。学習コンテンツ提供部１４は、業種制御部１６からコンテンツ番号を受信し、学習コンテンツＤＢ２４を参照して、受信したコンテンツ番号に対応するコンテンツ本体を実行する。すなわち、ユーザに新規の業種別講座を受講させる。
【００６２】
ステップＳ１０において、学習コンテンツ提供部１４は、ユーザが学習を終えると、学習コンテンツＤＢ２４を参照し、業種制御部１６より受信したコンテンツ番号に対応する試験データを実行する。すなわち、ユーザに業種別講座に対する確認テストを実施する。
【００６３】
ステップＳ１１において、学習コンテンツ提供部１４は、ユーザが確認テストを終えると、学習コンテンツＤＢ２４を参照し、業種制御部１６から受信したコンテンツ番号に対応する正解データを実行する。すなわち、確認テストの採点を行い、ユーザが確認テストに合格したか否かを判断する。確認テストに合格した場合は、ステップＳ１２へ進む。確認テストに合格しなかった場合は、ステップＳ９へ進む。
【００６４】
ステップＳ１２において、学習履歴管理部１３は、ユーザが受講した業種別講座に関する学習履歴を、学習履歴ＤＢ２３に格納する。
ステップＳ１３において、銘柄制御部１７は、銘柄ＤＢ２７、学習履歴ＤＢ２３を参照して、ユーザが受講していない新規の銘柄別講座（銘柄コンテンツ）があるか否かを判断する。ユーザの受講していない新規の銘柄別講座があれば、ステップＳ１４へ進む。ユーザの受講していない新規の銘柄別講座がなければ、株の買い付け処理へと進み終了する。
【００６５】
ステップＳ１４において、銘柄制御部１７は、銘柄ＤＢ２７を参照して、ユーザが受講していない新規の銘柄別講座に対応するコンテンツ番号を取得し、学習コンテンツ提供部１４へ送信する。学習コンテンツ提供部１４は、銘柄制御部１７からコンテンツ番号を受信し、学習コンテンツＤＢ２４を参照して、受信したコンテンツ番号に対応するコンテンツ本体を実行する。すなわち、ユーザに新規の銘柄別講座を受講させる。
【００６６】
ステップＳ１５において、学習コンテンツ提供部１４は、ユーザが学習を終えると、学習コンテンツＤＢ２４を参照し、銘柄制御部１７より受信したコンテンツ番号に対応する試験データを実行する。すなわち、ユーザに銘柄別講座に対する確認テストを実施する。
【００６７】
ステップＳ１６において、学習コンテンツ提供部１４は、ユーザが確認テストを終えると、学習コンテンツＤＢ２４を参照し、銘柄制御部１７から受信したコンテンツ番号に対応する正解データを実行する。すなわち、確認テストの採点を行い、ユーザが確認テストに合格したか否かを判断する。確認テストに合格した場合は、ステップＳ１７へ進む。確認テストに合格しなかった場合は、ステップＳ１４へ進む。
【００６８】
ステップＳ１７において、学習履歴管理部１３は、ユーザが受講した銘柄別講座に関する学習履歴を、学習履歴ＤＢ２３に格納する。
ステップＳ１８において、銘柄制御部１７は、ユーザから他の銘柄の選択を受付ける。他の銘柄の選択があった場合、ステップＳ７へ進む。他の銘柄の選択がない場合、株の買い付け処理へと進み終了する。
【００６９】
次に、ユーザ端末３０の表示装置に表示される画面例について説明する。
図１３は、ユーザ端末に表示されるログイン画面を示した図である。
顧客管理部１２は、ユーザ端末３０の表示装置に、図に示すような画面６１を表示する。画面６１には、テキストボックス６１ａ，６１ｂが表示されている。また、ボタン６１ｃが表示されている。
【００７０】
テキストボックス６１ａ，６１ｂには、投資学習サーバ１０にアクセスするためのＩＤ、パスワードが入力される。テキストボックス６１ａ，６１ｂに入力されたＩＤ、パスワードは、顧客管理部１２によって照合される。
【００７１】
ボタン６１ｃは、投資学習サーバ１０に登録していない、初めてのユーザによって押下されるボタンである。ボタン６１ｃが押下されると、顧客管理部１２は、ユーザからユーザ登録に必要な情報を受付け、顧客ＤＢ２２に格納する。
【００７２】
図１４は、ユーザ端末に表示される新規学習項目画面を示した図である。
基礎講座制御部１５および学習コンテンツ提供部１４は、ユーザに新規学習項目（受講されていない新規の基礎講座）がある場合、図に示すような画面６２をユーザ端末３０に表示する。画面６２には、チェックボックス６２ａ，６２ｂが表示されている。また、新規の学習項目が表示されている。
【００７３】
チェックボックス６２ａ，６２ｂには、ユーザによってチェックが入力される。ユーザが受講したい学習項目に対応するチェックボックス６２ａ，６２ｂに、チェックが入力される。
【００７４】
図１４の例では、ユーザは、株式投資税制改正について学習したい場合、チェックボックス６２ａにチェックを入力する。なお、ユーザは、新規の学習項目を学習しなければ、後述説明する銘柄選択画面には進めないようになっている。
【００７５】
図１５は、ユーザ端末に表示される詳細な新規学習項目画面を示した図である。
基礎講座制御部１５および学習コンテンツ提供部１４は、ユーザによって新規学習項目が選択された場合、図に示すような画面６３をユーザ端末３０に表示する。画面６３には、図１４のチェックボックス６２ａにチェックが入力されたときの画面が表示されている。画面６３に示すように、株式投資税制改正に関する学習内容が表示されている。
【００７６】
図１６は、ユーザ端末に表示される確認テスト画面を示した図である。
学習コンテンツ提供部１４は、ユーザが学習を終えると、図に示すような確認テストの画面６４をユーザ端末３０に表示する。画面６４には、チェックボックス６４ａ〜６４ｄが表示されている。また、図１５の株式投資税制改正に関する学習に対応する確認テストの内容が表示されている。チェックボックス６４ａ〜６４ｄには、例えば、ユーザの選択する解答がチェックによって入力される。
【００７７】
図１７は、ユーザ端末に表示される合否画面を示した図である。
学習コンテンツ提供部１４は、ユーザが確認テストを終えると、確認テストの採点を行い、図１７に示すような画面６５をユーザ端末３０に表示する。画面６５には、ユーザが確認テストに合格したときの画面が表示されている。また、銘柄選択を行う画面に進むためのボタン６５ａが示してある。なお、確認テストの結果が不合格である場合は、ボタン６５ａは、画面６５に表示されず、銘柄選択を行う画面に進めないようになっている。
【００７８】
図１８は、ユーザ端末に表示される銘柄選択画面を示した図である。
業種制御部１６は、図１７において、ボタン６５ａが押下されると、図に示すようなユーザから学習したい銘柄を受付けるための画面６６をユーザ端末３０に表示する。画面６６には、テキストボックス６６ａ，６６ｂが表示されている。また、ボタン６６ｃが表示されている。
【００７９】
テキストボックス６６ａには、株の銘柄が、４桁の証券コードで入力される。テキストボックス６６ｂには、株の銘柄が、キーワードで入力される。
ボタン６６ｃは、テキストボックス６６ａに入力された証券コードで銘柄の検索を開始するボタンである。また、テキストボックス６６ｂに入力されたキーワードで銘柄の検索を開始するボタンである。
【００８０】
図１９は、ユーザ端末に表示される銘柄の新規学習項目画面を示した図である。
業種制御部１６および学習コンテンツ提供部１４は、ユーザに業種に関する新規学習項目がなく、銘柄に関する新規学習項目があった場合、図に示すような画面６７をユーザ端末３０に表示する。画面６７には、チェックボックス６７ａ，６７ｂが表示されている。また、業種別の新規学習項目がなかった旨の表示と、新規の学習項目が表示されている。
【００８１】
チェックボックス６７ａ，６７ｂには、ユーザによってチェックが入力される。ユーザが受講したい学習項目に対応するチェックボックス６７ａ，６７ｂにチェックが入力される。
【００８２】
図１９の例では、銘柄コード６ＸＸＸのＡＡ通信の企業基礎情報について学習したい場合、チェックボックス６７ａにチェックが入力される。銘柄コード６ＸＸＸのＡＡ通信の２００３年度最終利益見込みについて学習したい場合、チェックボックス６７ｂにチェックが入力される。
【００８３】
図２０は、ユーザ端末に表示される詳細な新規学習項目画面を示した図である。
業種制御部１６および学習コンテンツ提供部１４は、ユーザによって新規学習項目が選択された場合、図に示すような画面６８をユーザ端末３０に表示する。画面６８には、図１９のチェックボックス６７ｂにチェックが入力されたときの内容が表示されている。画面６８に示すように、銘柄コード６ＸＸＸのＡＡ通信の２００３年度最終利益見込みに関する学習内容が表示されている。
【００８４】
図２１は、ユーザ端末に表示される確認テスト画面を示した図である。
学習コンテンツ提供部１４は、ユーザが学習を終えると、図に示すような確認テストの画面６９をユーザ端末３０に表示する。画面６９には、チェックボックス６９ａ〜６９ｄが表示されている。また、図２０の２００３年度最終利益見込みに関する学習の確認テストの内容が表示されている。チェックボックス６９ａ〜６９ｄには、例えば、ユーザの選択する解答がチェックによって入力される。
【００８５】
図２２は、ユーザ端末に表示される合否画面を示した図である。
学習コンテンツ提供部１４は、ユーザが確認テストを終えると、確認テストの採点を行い、図に示すような画面７０をユーザ端末３０に表示する。画面７０には、ユーザが確認テストに合格したときの画面が表示されている。そして、株の取引を行える画面に進むためのボタン７０ａが示してある。また、別の銘柄の選択、検索を行えるように、画面６６へ進むためのボタン７０ｂが示してある。確認テストの結果が不合格である場合は、ボタン７０ａ，７０ｂは、画面７０に表示されない。
【００８６】
このように、個人投資家の未学習の基礎講座、業種コンテンツ、銘柄コンテンツを検出し、個人投資家の使用するユーザ端末に表示するようにした。これによって、個人投資家は、新規の基礎講座、業種コンテンツ、銘柄コンテンツのみを受講することが可能となり、投資の学習の手間を低減することができる。
【００８７】
また、すでに学習した情報は、個人投資家に学習されないので、個人投資家の、各自の投資経験、既知の投資情報に合わせてカスタマイズされた学習内容を提供することができる。
【００８８】
また、個人投資家に確認試験を行って、学習の習得度を示すことにより、個別の業種、銘柄に対する投資の可否を判断する知識を得たことを、個人投資家は知ることができる。
また、個人投資家に投資の可否を判断するだけの情報を習得できているかどうかを示すことによって、株投資参入への不安感を低減させることができる。
【００８９】
また、株価は、業種、銘柄ごとに変動する要因が異なり、どの業種、どの銘柄に投資すべきかを判断することは困難であるが、個人投資家は、自分の株への理解度を知ることができるので、その判断を容易にさせることができる。
【００９０】
また、確認試験に合格した場合に、基礎講座、業種コンテンツ、銘柄コンテンツと株に関する詳細な情報を取得できるようにした。これによって、個人投資家は、着実に投資に関する知識を取得していくことができる。
【００９１】
さらに、確認試験に合格した場合に、株の買い付けを行えるようにした。これによって、個人投資家は、自分の判断で売買を行える知識を得て、個人投資家が納得の上で株の買い付けを行うことができる。
【００９２】
（付記１）  投資について学習させる投資学習プログラムにおいて、
コンピュータを、
更新される投資学習情報を記憶する投資学習情報記憶手段、
受講者が学習した前記投資学習情報の学習履歴を記憶する学習履歴記憶手段、
前記学習履歴を参照し、前記受講者の未学習の前記投資学習情報を前記投資学習情報記憶手段から検出する検出手段、
検出された前記投資学習情報を前記受講者の使用する端末に表示する表示手段、
として機能させることを特徴とする投資学習プログラム。
【００９３】
（付記２）  前記受講者の前記投資学習情報の習得度を確認するための確認試験を行う試験手段を有することを特徴とする付記１記載の投資学習プログラム。
（付記３）  前記試験手段は、前記受講者が学習した前記投資学習情報ごとに前記確認試験を行うことを特徴とする付記２記載の投資学習プログラム。
【００９４】
（付記４）  前記検出手段は、前記受講者が前記確認試験に合格した場合に、次の前記投資学習情報の検出を行うことを特徴とする付記２記載の投資学習プログラム。
（付記５）  前記投資学習情報は、株の基礎に関する基礎情報、業種に関する業種情報、および銘柄に関する銘柄情報を有することを特徴とする付記１記載の投資学習プログラム。
【００９５】
（付記６）  前記検出手段は、前記基礎情報、前記業種情報、前記銘柄情報の順に未学習の情報を検出することを特徴とする付記５記載の投資学習プログラム。
（付記７）  前記受講者が前記確認試験に合格した場合、前記投資の買い付けを許可する許可手段を有することを特徴とする付記２記載の投資学習プログラム。
【００９６】
（付記８）  前記投資学習情報は、ネットワークを介して更新されることを特徴とする付記１記載の投資学習プログラム。
（付記９）  前記検出手段は、前記学習履歴記憶手段に記憶されていない前記投資学習情報を前記投資学習情報記憶手段から検出することを特徴とする付記１記載の投資学習プログラム。
【００９７】
（付記１０）  前記銘柄情報は、他の銘柄に関する情報も含むことを特徴とする付記５記載の投資学習プログラム。
（付記１１）  投資について学習させる投資学習サーバにおいて、
更新される投資学習情報を記憶する投資学習情報記憶手段と、
受講者が学習した前記投資学習情報の学習履歴を記憶する学習履歴記憶手段と、
前記学習履歴を参照し、前記受講者の未学習の前記投資学習情報を前記投資学習情報記憶手段から検出する検出手段と、
検出された前記投資学習情報を前記受講者の使用する端末に表示する表示手段と、
を有することを特徴とする投資学習プログラム。
【図面の簡単な説明】
【００９８】
【図１】本発明の投資学習プログラムの原理図である。
【図２】本発明の実施の形態のシステム構成例を示す図である。
【図３】投資学習サーバのハードウェア構成を示すブロック図である。
【図４】投資学習サーバの機能ブロック図である。
【図５】顧客ＤＢのデータ構成例を示した図である。
【図６】学習履歴ＤＢのデータ構成例を示した図である。
【図７】学習コンテンツＤＢのデータ構成例を示した図である。
【図８】基礎講座ＤＢのデータ構成例を示した図である。
【図９】業種ＤＢのデータ構成例を示した図である。
【図１０】銘柄ＤＢのデータ構成例を示した図である。
【図１１】投資学習サーバの動作を示したフローチャートである。
【図１２】投資学習サーバの動作を示したフローチャートである。
【図１３】ユーザ端末に表示されるログイン画面を示した図である。
【図１４】ユーザ端末に表示される新規学習項目画面を示した図である。
【図１５】ユーザ端末に表示される詳細な新規学習項目画面を示した図である。
【図１６】ユーザ端末に表示される確認テスト画面を示した図である。
【図１７】ユーザ端末に表示される合否画面を示した図である。
【図１８】ユーザ端末に表示される銘柄選択画面を示した図である。
【図１９】ユーザ端末に表示される銘柄の新規学習項目画面を示した図である。
【図２０】ユーザ端末に表示される詳細な新規学習項目画面を示した図である。
【図２１】ユーザ端末に表示される確認テスト画面を示した図である。
【図２２】ユーザ端末に表示される合否画面を示した図である。
【符号の説明】
【００９９】
１  コンピュータ
１ａ  投資学習情報記憶手段
１ｂ  学習履歴記憶手段
１ｃ  検出手段
１ｄ  表示手段
２  端末
１０  投資学習サーバ
１１  制御部
１２  顧客管理部
１３  学習履歴管理部
１４  学習コンテンツ提供部
１５  基礎講座制御部
１６  業種制御部
１７  銘柄制御部
２１  記憶部
２２  顧客ＤＢ
２３  学習履歴ＤＢ
２４  学習コンテンツＤＢ
２５  基礎講座ＤＢ
２６  業種ＤＢ
２７  銘柄ＤＢ
３０  ユーザ端末
４０  学習情報提供サーバ
【図１】
2005321446.tif 000003
【図２】
2005321446.tif 000004
【図３】
2005321446.tif 000005
【図４】
2005321446.tif 000006
【図５】
2005321446.tif 000007
【図６】
2005321446.tif 000008
【図７】
2005321446.tif 000009
【図８】
2005321446.tif 000010
【図９】
2005321446.tif 000011
【図１０】
2005321446.tif 000012
【図１１】
2005321446.tif 000013
【図１２】
2005321446.tif 000014
【図１３】
2005321446.tif 000015
【図１４】
2005321446.tif 000016
【図１５】
2005321446.tif 000017
【図１６】
2005321446.tif 000018
【図１７】
2005321446.tif 000019
【図１８】
2005321446.tif 000020
【図１９】
2005321446.tif 000021
【図２０】
2005321446.tif 000022
【図２１】
2005321446.tif 000023
【図２２】
2005321446.tif 000024